(57)【特許請求の範囲】
【請求項１】
１個以上の操作スイッチとＩＤコードが登録される第１記憶部と第１制御部と送信部とを備える携帯用送信機、及び、受信部と参照コードが記憶される第２記憶部と第２制御部と制御信号発生部とを備える受信機とからなり、前記携帯用送信機が前記ＩＤコードを含む情報信号を電磁波として送信し、前記受信機が、前記受信した電磁波中の前記ＩＤコードと前記参照コードとを比較し、それらが一致したときに前記制御信号発生部から被制御機器に制御信号を供給可能になるキーレスエントリー装置であって、前記携帯用送信機は、クロック信号を発生するクロック発生部と、前記クロック発生部が発生したクロック信号をカウントするカウンタとを備え、前記ＩＤコードは、該ＩＤコード全体を複数に区分した複数のＩＤコード区分からなり、前記携帯用送信機は、当該携帯用送信機を所定の時間の間当該携帯用送信機の新たなＩＤを当該携帯用送信機に登録し得るＩＤ登録モードに設定するＩＤ登録モード設定手段を備え、前記第１制御部は、前記ＩＤ登録モード設定手段によってＩＤ登録モードに設定されたとき、前記１個以上の操作スイッチのスイッチ操作回数の合計が複数回となるように操作し、スイッチを１回操作する度毎に、その操作タイミングによって前記カウンタによるカウンタ数値を設定して該設定したカウンタ数値によって前記ＩＤコード区分を形成し、形成した各ＩＤコード区分を前記第１記憶部に順次供給して前記複数のＩＤコード区分におけるそれぞれのＩＤコード区分として収納することにより前記携帯用送信機の新たなＩＤコードとして登録することを特徴とするキーレスエントリー装置。
【請求項２】
１個以上の操作スイッチとＩＤコードが登録される第１記憶部と第２記憶部と第１制御部と送信部とを備える携帯用送信機、及び、受信部と参照コードが記憶される第３記憶部と第２制御部と制御信号発生部とを備える受信機とからなり、前記携帯用送信機が前記ＩＤコードを含む情報信号を電磁波として送信し、前記受信機が、前記受信した電磁波中の前記ＩＤコードと前記参照コードとを比較し、それらが一致したときに前記制御信号発生部から被制御機器に制御信号を供給可能になるキーレスエントリー装置であって、前記携帯用送信機は、クロック信号を発生するクロック発生部と、前記クロック発生部が発生したクロック信号をカウントするカウンタとを備え、前記ＩＤコードは、該ＩＤコード全体を複数に区分した複数のＩＤコード区分からなり、前記携帯用送信機は、当該携帯用送信機を所定の時間の間当該携帯用送信機の新たなＩＤを当該携帯用送信機に登録し得るＩＤ登録モードに設定するＩＤ登録モード設定手段を備え、前記第１制御部は、前記ＩＤ登録モード設定手段によってＩＤ登録モードに設定されたとき、前記１個以上の操作スイッチのスイッチ操作回数の合計が複数回となるように操作し、スイッチを１回操作する度毎に、その操作タイミングによって前記カウンタによるカウンタ数値を設定して該設定したカウンタ数値によって前記ＩＤコード区分を形成し、形成した各ＩＤコード区分を前記第２記憶部に順次供給して前記複数のＩＤコード区分におけるそれぞれのＩＤコード区分として収納し、前記第２記憶部に全てのＩＤコード区分を収納したき、前記全てのＩＤコード区分を合体して前記第１記憶部に転送し、前記携帯用送信機の新たなＩＤコードとして登録することを特徴とするキーレスエントリー装置。
【請求項３】
１個以上の操作スイッチとＩＤコードが登録される第１記憶部と第２記憶部と第１制御部と送信部とを備える携帯用送信機、及び、受信部と参照コードが記憶される第３記憶部と第２制御部と制御信号発生部とを備える受信機とからなり、前記携帯用送信機が前記ＩＤコードを含む情報信号を電磁波として送信し、前記受信機が、前記受信した電磁波中の前記ＩＤコードと前記参照コードとを比較し、それらが一致したときに前記制御信号発生部から被制御機器に制御信号を供給可能になるキーレスエントリー装置であって、前記携帯用送信機は、クロック信号を発生するクロック発生部と、前記クロック発生部が発生したクロック信号をカウントするカウンタとを備え、前記ＩＤコードは、該ＩＤコード全体を複数に区分した複数のＩＤコード区分からなり、前記携帯用送信機は、当該携帯用送信機を所定の時間の間当該携帯用送信機の新たなＩＤを当該携帯用送信機に登録し得るＩＤ登録モードに設定するＩＤ登録モード設定手段を備え、前記第１制御部は、前記ＩＤ登録モード設定手段によってＩＤ登録モードに設定されたとき、前記１個以上の操作スイッチのスイッチ操作回数の合計が複数回となるように操作し、スイッチを１回操作する度毎に、その操作タイミングによって前記カウンタによるカウンタ数値を設定して該設定したカウンタ数値によって前記ＩＤコード区分を形成し、前記第２記憶部に最後のＩＤコード区分を除く全てのＩＤコード区分を順次収納し、前記最後のＩＤコード区分が形成されると、前記第２記憶部に収納した各ＩＤコード区分を読み出し、読み出した各ＩＤコード区分と前記最後のＩＤコード区分とを合体して前記第１記憶部に転送し、前記携帯用送信機の新たなＩＤコードとして登録することを特徴とするキーレスエントリー装置。
【請求項４】
前記ＩＤ登録モード設定手段は、前記１個以上の操作スイッチと、前記１個以上の操作スイッチの予め決められた態様の操作に起因してＩＤ登録モードを設定する前記第１制御部内のモード制御部とからなることを特徴とする請求項１乃至３のいずれかに記載のキーレスエントリー装置。
【請求項５】
前記１個以上の操作スイッチの予め決められた態様の操作は、２個以上の操作スイッチを予め決められた順番に操作することであることを特徴とする請求項４に記載のキーレスエントリー装置。
【請求項６】
前記携帯用送信機は、前記ＩＤコード区分の収納状態を示す報知手段を備えていることを特徴とする請求項１乃至３のいずれかに記載のキーレスエントリー装置。
【請求項７】
前記報知手段は、発光ダイオードによる光報知を行うものであることを特徴とする請求項６に記載のキーレスエントリー装置。
【請求項８】
前記第１制御部は、ＩＤ登録モードの設定時に、最後のＩＤコード区分を除いた一のＩＤコード区分が入力された後、所定の時間が経過してもＩＤコード区分が入力されない場合、ＩＤ登録モードの設定を解除することを特徴とする請求項１乃至３のいずれかに記載のキーレスエントリー装置。
【発明の詳細な説明】
【０００１】
【発明の属する技術分野】
本発明は、通信装置に係わり、特に、携帯用送信機からＩＤ（識別）コードを含む情報信号を送信し、受信機で受信した情報信号中のＩＤコードが登録されている参照コードと一致した際に被制御機器が制御されるもので、携帯用送信機のＩＤコードをユーザーによって登録される通信装置に関する。
【０００２】
【従来の技術】
従来、携帯用送信機と受信機とからなり、携帯用送信機の操作部を操作することによりＩＤコードを含む情報信号を送信した際に、受信機側で受信した情報信号からＩＤコードを抽出し、そのＩＤコードが既登録されている参照コードと一致した際に、被制御機器を制御することが可能になる通信装置としては、例えば自動車のキーレスエントリー装置が知られている。
【０００３】
このキーレスエントリー装置において、携帯用送信機は各ユーザーがそれぞれ携帯するものであり、受信機は自動車内に設置されるものである。
【０００４】
図７は、既知のキーレスエントリー装置に用いる携帯用送信機の構成の一例を示すブロック図であり、図８は、既知のキーレスエントリー装置に用いる受信機の構成の一例を示すブロック図である。
【０００５】
図７に示されるように、携帯用送信機７０は、１個以上の操作スイッチを有する操作スイッチ部７１と、機能コード変換部７２と、送信コード変換部７３と、ＩＤコード記憶部７４と、送信部７５と、送信アンテナ７６とを備える。そして、これらの構成要素７１乃至７６は、図７に図示されるように接続されている。
【０００６】
また、受信機８０は、受信部８１と、信号処理部８２と、参照コード記憶部８３と、機能コード記憶部８４と、信号処理部８２に内蔵された制御信号発生部８５と、自動車のイグニッションキー８６と、受信アンテナ８７とを備え、信号処理部８２と制御信号発生部８５は制御部（ＣＰＵ）に内蔵され、参照コード記憶部８３と機能コード記憶部８４はＥＥＰＲＯＭに内蔵されている。そして、これらの構成要素８１乃至８７は、図８に図示されるように接続されている。
【０００７】
前記構成を有する携帯用送信機７０及び受信機８０は、それぞれ次のように動作する。
【０００８】
まず、携帯用送信機７０において、操作スイッチ部７１は、ユーザーが所望するいずれかの操作スイッチを操作することにより、自動車の被制御機構の操作、例えばドアの施錠や解錠、トランク開等を行う各種のスイッチ情報を発生する。機能コード変換部７２は、操作スイッチ部７１から出力されたスイッチ情報をその情報内容に対応した機能コードに変換する。ＩＤコード記憶部７４は、それぞれの携帯用送信機７０に固有のＩＤコードを記憶している。送信コード変換部７３は、機能コード変換部７２から出力された機能コードとＩＤコード記憶部７４から読み出したＩＤコードに、先頭コードと終了コード等を付加した送信コードを形成する。送信部７５は、送信コード変換部７３で形成された送信コードを電磁波等に載せた送信信号に変換し、この送信信号を送信アンテナ７６を通して送信する。
【０００９】
一方、受信機８０において、受信部８１は、受信アンテナ８７を通して送信信号を受信し、送信コードを再生する。信号処理部８２は、送信コード中のＩＤコードと参照コード記憶部８３に記憶されている参照コードとを比較し、ＩＤコードと参照コードとの一致が確認された場合、送信コード中の機能コードと機能コード記憶部８４に記憶されている機能コードとを照合する。制御信号発生部８５は、照合によって合致した機能コードに対応した制御信号を発生する。この制御信号は、対応する自動車の被制御機構、例えばドアに供給され、ドアの施錠や解錠が行なわれる。
【００１０】
この場合、前記既知のキーレスエントリー装置におけるそれぞれの携帯用送信機７０に割り当てられるＩＤコードは、携帯用送信機７０の製造時にＩＤコード記憶部７４に記憶されたもので、携帯用送信機７０に固有のものであり、受信機８０の参照コード記憶部８３に記憶されている参照コードは、携帯用送信機７０から送信されてきたＩＤコードを抽出し、抽出したＩＤコードを参照コード記憶部８３に書き込み、参照コードとして記憶されるものである。
【００１１】
【発明が解決しようとする課題】
前記既知のキーレスエントリー装置においては、それぞれの携帯用送信機７０に割り当てられるＩＤコードが、携帯用送信機７０の製造時にＩＤコード記憶部７４に記憶された携帯用送信機７０に固有のものであり、受信機８０の参照コード記憶部８３に記憶されている参照コードも、携帯用送信機７０から送信されてきたＩＤコードを抽出し、抽出したＩＤコードを参照コード記憶部８３に書き込むことによって、参照コードとして登録されるものである。
【００１２】
一般に、キーレスエントリー装置を利用するユーザーは、自己の携帯用送信機７０と他人の携帯用送信機７０との間に互換性がないことを要望する傾向があるため、自己の携帯用送信機７０のＩＤコードと他人の携帯用送信機７０のＩＤコードとを異ならせること、すなわちそれぞれの携帯用送信機７０のＩＤコードを異ならせる必要がある。
【００１３】
ところで、前記既知のキーレスエントリー装置における携帯用送信機７０は、製造時に１台毎に異なるＩＤコードをメーカー側でＩＤコード記憶部７４に書き込んでいることから、ＩＤコード書き込み装置が必要であり、かつ、ＩＤコードの管理が煩雑になるという問題がある。
【００１４】
本発明は、このような技術的背景に鑑みてなされたもので、その目的は、携帯用送信機に割り当てられるＩＤコードを、携帯用送信機を操作することによって登録することを可能にしたキーレスエントリー装置を提供することにある。
【００１５】
【課題を解決するための手段】
前記目的を達成するために、本発明によるキーレスエントリー装置は、１個以上の操作スイッチとＩＤコードが登録される第１記憶部と第１制御部と送信部とを備える携帯用送信機、及び、受信部と参照コードが記憶される第２記憶部と第２制御部と制御信号発生部とを備える受信機とからなり、携帯用送信機がＩＤコードを含む情報信号を電磁波として送信し、受信機が、受信した電磁波中のＩＤコードと参照コードとを比較し、それらが一致したときに制御信号発生部から被制御機器に制御信号を供給可能になるものであって、携帯用送信機は、クロック信号を発生するクロック発生部と、クロック発生部が発生したクロック信号をカウントするカウンタとを備え、ＩＤコードは、該ＩＤコード全体を複数に区分した複数のＩＤコード区分からなり、携帯用送信機は、当該携帯用送信機を所定の時間の間当該携帯用送信機の新たなＩＤを当該携帯用送信機に登録し得るＩＤ登録モードに設定するＩＤ登録モード設定手段を備え、第１制御部は、ＩＤ登録モード設定手段によってＩＤ登録モードに設定されたとき、１個以上の操作スイッチのスイッチ操作回数の合計が複数回となるように操作し、スイッチを１回操作する度毎に、その操作タイミングによってカウンタによるカウンタ数値を設定して該設定したカウンタ数値によってＩＤコード区分を形成し、形成した各ＩＤコード区分を第１記憶部に順次供給して複数のＩＤコード区分におけるそれぞれのＩＤコード区分として収納することにより携帯用送信機の新たなＩＤコードとして登録する第１の構成を具備する。
【００１６】
また、前記目的を達成するために、本発明によるキーレスエントリー装置は、１個以上の操作スイッチとＩＤコードが登録される第１記憶部と第２記憶部と第１制御部と送信部とを備える携帯用送信機、及び、受信部と参照コードが記憶される第３記憶部と第２制御部と制御信号発生部とを備える受信機とからなり、携帯用送信機がＩＤコードを含む情報信号を電磁波として送信し、受信機が、受信した電磁波中のＩＤコードと参照コードとを比較し、それらが一致したときに制御信号発生部から被制御機器に制御信号を供給可能になるものであって、携帯用送信機は、クロック信号を発生するクロック発生部と、クロック発生部が発生したクロック信号をカウントするカウンタとを備え、ＩＤコードは、該ＩＤコード全体を複数に区分した複数のＩＤコード区分からなり、携帯用送信機は、当該携帯用送信機を所定の時間の間当該携帯用送信機の新たなＩＤを当該携帯用送信機に登録し得るＩＤ登録モードに設定するＩＤ登録モード設定手段を備え、第１制御部は、ＩＤ登録モード設定手段によってＩＤ登録モードに設定されたとき、１個以上の操作スイッチのスイッチ操作回数の合計が複数回となるように操作し、スイッチを１回操作する度毎に、その操作タイミングによってカウンタによるカウンタ数値を設定して該設定したカウンタ数値によってＩＤコード区分を形成し、形成した各ＩＤコード区分を第２記憶部に順次供給して複数のＩＤコード区分におけるそれぞれのＩＤコード区分として収納し、第２記憶部に全てのＩＤコード区分を収納したき、全てのＩＤコード区分を合体して第１記憶部に転送し、携帯用送信機の新たなＩＤコードとして登録する第２の構成を具備する。
【００１７】
さらに、前記目的を達成するために、本発明によるキーレスエントリー装置は、１個以上の操作スイッチとＩＤコードが登録される第１記憶部と第２記憶部と第１制御部と送信部とを備える携帯用送信機、及び、受信部と参照コードが記憶される第３記憶部と第２制御部と制御信号発生部とを備える受信機とからなり、携帯用送信機がＩＤコードを含む情報信号を電磁波として送信し、受信機が、受信した電磁波中のＩＤコードと参照コードとを比較し、それらが一致したときに制御信号発生部から被制御機器に制御信号を供給可能になるものであって、携帯用送信機は、クロック信号を発生するクロック発生部と、クロック発生部が発生したクロック信号をカウントするカウンタとを備え、ＩＤコードは、該ＩＤコード全体を複数に区分した複数のＩＤコード区分からなり、携帯用送信機は、当該携帯用送信機を所定の時間の間当該携帯用送信機の新たなＩＤを当該携帯用送信機に登録し得るＩＤ登録モードに設定するＩＤ登録モード設定手段を備え、第１制御部は、ＩＤ登録モード設定手段によってＩＤ登録モードに設定されたとき、１個以上の操作スイッチのスイッチ操作回数の合計が複数回となるように操作し、スイッチを１回操作する度毎に、その操作タイミングによってカウンタによるカウンタ数値を設定して該設定したカウンタ数値によってＩＤコード区分を形成し、第２記憶部に最後のＩＤコード区分を除く全てのＩＤコード区分を順次収納し、最後のＩＤコード区分が形成されると、第２記憶部に収納した各ＩＤコード区分を読み出し、読み出した各ＩＤコード区分と最後のＩＤコード区分とを合体して第１記憶部に転送し、携帯用送信機の新たなＩＤコードとして登録する第３の構成を具備する。
【００１８】
前記第１乃至び第３の構成によれば、携帯用送信機において、ユーザーによる操作スイッチの所定の操作をＩＤ登録モード設定手段が検知すると、第１制御部がＩＤ登録モードに設定され、ＩＤ登録モードに設定された第１制御部は、ユーザーが１個以上の操作スイッチを複数回操作する度毎に、その操作に対応してランダムな値を示すＩＤコード区分を形成し、形成したＩＤコード区分を順次第１記憶部に供給し、供給された全てのＩＤコード区分をＩＤコードとして登録する（第１の構成）か、または、形成したＩＤコード区分を順次ＲＡＭからなる第２記憶部に収納し、全てのＩＤコード区分が第２記憶部に収納されたとき、第２記憶部から全てのＩＤコード区分を合体して読み出し、読み出した全てのＩＤコード区分をＩＤコードとして第１記憶部に転送登録する（第２の構成）か、形成したＩＤコード区分を順次ＲＡＭからなる第２記憶部に収納し、最後のＩＤコード区分を除く各ＩＤコード区分が第２記憶部に収納され、最後のＩＤコード区分が形成されたとき、第２記憶部から各ＩＤコード区分を読み出し、読み出した各ＩＤコード区分と最後のＩＤコード区分とを合体してＩＤコードとして第１記憶部に転送登録する（第３の構成）ようにしているので、ユーザーの操作により携帯用送信機にＩＤコードの登録を行なうことが可能になり、この場合、登録されるＩＤコードは、ユーザーによって選択することができず、ユーザーの意志に係わりないランダムなものになるので、自己の携帯用送信機と他人の携帯用送信機との間に互換性のない携帯用送信機を得ることができる。
【００１９】
【発明の実施の形態】
以下、本発明の実施の形態を図面を参照して説明する。
【００２０】
図１及び図２は、本発明によるキーレスエントリー装置の第１の実施の形態を示すブロック図であって、図１は携帯用送信機１０の構成を示すブロック図、図２は受信機２０の構成を示すブロック図である。
【００２１】
図１に示されるように、携帯用送信機１０は、１個以上の操作スイッチを備える操作スイッチ部（操作ＳＷ）１と、制御部（第１制御部）（ＣＰＵ）２と、送信部３と、ＥＥＰＲＯＭ（第１記憶部）４と、表示部５と、送信アンテナ６とを備えている。この場合、操作スイッチ部１は、ドアロックスイッチ１1 と、ドアアンロックスイッチ１2 と、トランク開スイッチ１3 と、パニックスイッチ１4 等を備える。制御部２は、機能コード変換部２1 と、送信コード形成部２2 と、モード制御部２3 と、ＩＤコード発生部２4 と、クロック信号発生部２5 と、カウンタ２6 とを備える。ＥＥＰＲＯＭ４は、ＩＤコード記憶部４1 を内蔵する。表示部５は、少なくとも１個の発光ダイオード（ＬＥＤ）を備える。
【００２２】
そして、操作スイッチ部１と、制御部２と、送信部３と、ＥＥＰＲＯＭ４と、ＩＤコード記憶部４1 と、表示部５と、送信アンテナ６は、図１に図示されるように接続されている。また、操作スイッチ部１におけるドアロックスイッチ１1 と、ドアアンロックスイッチ１2 と、トランク開スイッチ１3 と、パニックスイッチ１4 は、図１に図示されるように接続され、制御部２における機能コード変換部２1 と、送信コード形成部２2 と、モード制御部２3 と、ＩＤコード発生部２4 と、クロック信号発生部２5 と、カウンタ２6 は、同じく図１に図示されるように接続されている。
【００２３】
一方、図２に示されるように、受信機２０は、受信部１１と、制御部（第２制御部）（ＣＰＵ）１２と、ＥＥＰＲＯＭ（第２記憶部）１３と、受信アンテナ１４とを備えている。この場合、制御部１２は、信号処理部１２1 を内蔵している。信号処理部１２1 は、制御信号発生部１２2 を内蔵し、外部のイグニッションキー１５からの信号が入力される。ＥＥＰＲＯＭ１３は、参照コード記憶部１３1 と、機能コード記憶部１３2 とを内蔵している。
【００２４】
そして、受信部１１と、制御部１２と、ＥＥＰＲＯＭ１３と、受信アンテナ１４と、イグニッションキー１５は、図２に図示されるように接続されている。また、制御部１２における信号処理部１２1 と制御信号発生部１２2 は、図２に図示されるように接続され、ＥＥＰＲＯＭ１３における参照コード記憶部１３1 と、機能コード記憶部１３2 は、同じく図２に図示されるように接続されている。
【００２５】
ところで、前記構成による携帯用送信機１０及び受信機２０は、ユーザーが取得した時点（製品購入時点）に、未だ、携帯用送信機１０のＩＤコード記憶部４1 にＩＤコードが登録されておらず、しかも、受信機２０の参照コード記憶部１３1 にも参照コードが登録されていない。このため、ユーザーは、携帯用送信機１０及び受信機２０を使用する前に、携帯用送信機１０のＩＤコード記憶部４1 にＩＤコードを登録し、ＩＤコードを登録した携帯用送信機１０を用いて受信機２０の参照コード記憶部１３1 に参照コードを収納する必要がある。
【００２６】
図３は、図１に図示された携帯用送信機１０において、ＩＤコード記憶部４1 にＩＤコードを登録する際の操作手順の一例を示す説明図である。
【００２７】
図３に図示の説明図を用い、携帯用送信機１０のＩＤコード記憶部４1 にＩＤコードを登録するときの操作手順を説明すると、次の通りである。
【００２８】
ユーザーは、携帯用送信機１０の操作スイッチ部１の１つ以上の操作スイッチを用いた所定の操作、例えば最初にトランク開スイッチ１3 を操作し、その操作が行なわれてから１００ミリ秒以内にトランク開スイッチ１3 とともにドアロックスイッチ１1 を１秒以上操作し、その後にトランク開スイッチ１3 とドアロックスイッチ１1 との操作を停止する所定の操作を行うと、モード制御部２3 がこの所定の操作が行なわれたことを検知し、制御部２をＩＤ登録モードに設定する。制御部２がＩＤ登録モードに設定されると、カウンタ２6 をリセットした後、カウンタ２6 においてクロック信号発生部２5 から供給されるクロック信号の第１回目のカウントを開始させ、モード制御部２3 から表示部５の１つのＬＥＤ、例えば赤色ＬＥＤに第１パルス信号を供給する。赤色ＬＥＤは、第１パルス信号の供給により５００ミリ秒の間隔で、２００ミリ秒の間複数回にわたって点灯し、携帯用送信機１０がＩＤ登録モードに設定されたことをユーザーに知らせる。なお、赤色ＬＥＤの断続的な点灯は、携帯用送信機１０がＩＤ登録モードに設定されている間中続く。
【００２９】
次に、ユーザーは、携帯用送信機１０の操作スイッチ部１の後から操作したスイッチ、例えばドアロックスイッチ１1 を１００ミリ秒以上操作した後、ドアロックスイッチ１1 の操作を停止すると、ＩＤコード発生部２4 から表示部５の他のＬＥＤ、例えば緑色ＬＥＤに第２パルス信号が供給され、緑色ＬＥＤを１回だけ５００ミリ秒間点灯する。そして、緑色ＬＥＤの点灯が終了したとき、カウンタ２6 におけるクロック信号の第１回目のカウント値が確定し、確定したカウント値がＩＤコード発生部２4 を通してＥＥＰＲＯＭ４のＩＤコード記憶部４1 に供給され、第１ＩＤコード区分として収納される。このとき、カウンタ２6 は、リセットされ、引き続いて供給されるクロック信号の第２回目のカウントを開始し、ＩＤコード発生部２4 から赤色ＬＥＤに第１パルス信号が前と同様に複数回供給され、赤色ＬＥＤが断続的に点灯する。
【００３０】
次いで、ユーザーは、ドアロックスイッチ１1 を再び１００ミリ秒以上操作した後、ドアロックスイッチ１1 の操作を停止すると、ＩＤコード発生部２4 から緑色ＬＥＤに再び第２パルス信号が供給され、緑色ＬＥＤを１回だけ５００ミリ秒間点灯する。そして、今回の緑色ＬＥＤの点灯が終了したとき、カウンタ２6 におけるクロック信号の第２回目のカウント値が確定し、確定したカウント値がＩＤコード発生部２4 を通してＩＤコード記憶部４1 に供給され、第２ＩＤコード区分として収納される。このときも、カウンタ２6 は、リセットされ、引き続いて供給されるクロック信号の第３回目のカウントを開始し、赤色ＬＥＤが断続的に点灯する。
【００３１】
続いて、ユーザーは、ドアロックスイッチ１1 を三度び１００ミリ秒以上操作した後、ドアロックスイッチ１1 の操作を停止すると、ＩＤコード発生部２4 から緑色ＬＥＤに第２パルス信号が供給され、緑色ＬＥＤを１回だけ前の２回よりも長い１秒の間点灯する。そして、今回の緑色ＬＥＤの点灯が終了したとき、カウンタ２6 におけるクロック信号の第３回目のカウント値が確定し、確定したカウント値がＩＤコード発生部２4 を通してＩＤコード記憶部４1 に供給され、第３ＩＤコード区分として収納される。
【００３２】
そして、ＩＤコード記憶部４1 に収納された第１乃至第３ＩＤコード区分は、全体として１つのＩＤコードを形成している。
【００３３】
この場合、ＩＤコード記憶部４1 に順次収納される第１乃至第３ＩＤコード区分（３つのカウント値）は、それぞれ８ビットのものであって、ＩＤコード記憶部４1 の各ＩＤコード区分には、００００００００から１１１１１１１１までの２５６通りのデータ値の中の１つが収納される。
【００３４】
カウンタ２6 がリセットされた後に、カウンタ２6 で行われる第１回目のクロック信号のカウントは、クロック信号が印加される毎に００００００００から１１１１１１１１まで順に変化し、１１１１１１１１まで達した後は００００００００に戻り、再び１１１１１１１１に向かって変化する。そして、第１回目の緑色ＬＥＤの点灯が終了したときのカウンタ２6 のカウント値が第１コード区分としてＩＤコード記憶部４1 に収納される。
【００３５】
その後に、カウンタ２6 がリセットされ、カウンタ２6 で行われる第２回目及び第３回目のクロック信号のカウントも、前述の場合と同じで、第２回目の緑色ＬＥＤの点灯が終了したときのカウンタ２6 のカウント値が第２コード区分としてＩＤコード記憶部４1 に、第３回目の緑色ＬＥＤの点灯が終了したときのカウンタ２6 のカウント値が第３コード区分としてＩＤコード記憶部４1 にそれぞれ収納される。
【００３６】
このように、第１の実施の形態の携帯用送信機１０におけるＩＤコード記憶部４1 に収納された第１乃至第３コード区分（カウント値）は、ユーザーによって行なわれるスイッチの操作タイミングによってランダムに設定されるものである。このため、第１乃至第３コード区分の全体によって形成されるＩＤコードについては一つの携帯用送信機１０に登録されるときのＩＤコードと、他の携帯用送信機１０に同じ登録手段を用いて登録されるＩＤコードとが一致する確率は極めて小さく、互換性を有しない携帯用送信機１０を得ることができる。
【００３７】
この場合、携帯用送信機１０は、制御部２がＩＤ登録モードになってから１０秒が経過した場合、制御部２がＩＤ登録モードから通常モードに自動的に復帰し、表示部５の赤色ＬＥＤの点滅が終了する。
【００３８】
そして、図３に図示されるように、第３回目のカウント値が確定して緑色ＬＥＤの３回目の点灯が終了し、ＩＤコード記憶部４1 にＩＤコードの登録が行われたとき、制御部２は、ＩＤ登録モードに設定されてから１０秒が経過する前であっても、ＩＤ登録モードから通常モードに復帰する。
【００３９】
次に、図４は、携帯用送信機１０のＩＤコード記憶部４1 にＩＤコードを登録する際に、ＩＤコードの登録ができないときの一例を示す動作説明図である。
【００４０】
図４を用いて、ＩＤコードの登録ができないときの動作を説明する。
【００４１】
図４に示すように、ユーザーによる操作スイッチ部１の所定の操作の実行によって、携帯用送信機１０の制御部２がＩＤ登録モードに設定されるまでの操作手順は、既に述べた図３に図示の操作手順と同じである。
【００４２】
次に、ユーザーは、携帯用送信機１０の操作スイッチ部１の後から操作したスイッチ、例えばドアロックスイッチ１1 を１００ミリ秒以上操作した後でその操作を終了すると、ＩＤコード発生部２4 から表示部５の緑色ＬＥＤに第２パルス信号が供給され、緑色ＬＥＤを５００ミリ秒の間点灯する。そして、緑色ＬＥＤの点灯が終了したとき、カウンタ２6 のクロック信号の第１回目のカウント値が確定し、確定したカウント値がＩＤコード発生部２4 を通してＩＤコード記憶部４1 に供給され、第１ＩＤコード区分としてＩＤコード記憶部４1 に収納される。このとき、カウンタ２6 は、リセットされ、引き続いて供給されるクロック信号の第２回目のカウントを開始し、ＩＤコード発生部２4 から赤色ＬＥＤに第１パルス信号が前と同様に複数回供給され、赤色ＬＥＤが断続的に点灯する。
【００４３】
その後、ユーザーは、携帯用送信機１０の操作スイッチ部１の後から操作したスイッチ、例えばドアロックスイッチ１1 を操作しないで、制御部２がＩＤ登録モードに設定されてから１０秒が経過してしまうと、制御部２は、ＩＤ登録モードから通常モードに自動的に復帰する。このときには、第１回目のカウント値が確定されるだけで、第２回目及び第３回目のカウント値が確定されないので、ＩＤコード発生部２4 はＩＤコード記憶部４1 に収納された第１ＩＤコード区分（第１回目のカウント値）を廃棄し、ＩＤコード記憶部４1 にＩＤコードの登録が行われない。
【００４４】
ＩＤコード記憶部４1 にＩＤコードの登録が行われない状態は、第１回目及び第２回目のカウント値がそれぞれ確定された後、制御部２がＩＤ登録モードから通常モードに自動的に復帰した場合も同じである。
【００４５】
続いて、図５は、本発明によるキーレスエントリー装置の第２の実施の形態を示すブロック図であって、携帯用送信機１０’の構成を示すブロック図である。
【００４６】
図５に示されるように、第２の実施の形態における携帯用送信機１０’（以下、携帯用送信機１０’という）の構成と、第１の実施の形態における携帯用送信機１０（以下、携帯用送信機１０という）の構成との違いは、携帯用送信機１０’がＲＡＭ｛第２（一時）記憶部｝７を備え、ＲＡＭ７がＩＤコード発生部２4 に結合されているのに対し、携帯用送信機１０がこのようなＲＡＭ７を備えていない点だけであって、その他に、携帯用送信機１０’と携帯用送信機１０との間に構成上の違いはない。このため、携帯用送信機１０’の構成については、これ以上の説明を省略する。
【００４７】
また、第２の実施の形態における受信機２０の構成は、図２に図示された第１の実施の形態による受信機２０の構成と同じであるので、第２の実施の形態における受信機２０は、図示を省略する。
【００４８】
前記構成を有する携帯用送信機１０’において、ＩＤコード記憶部４1 にＩＤコードを登録する際の操作手順を図３を用いて説明すると、次の通りである。
【００４９】
まず、ユーザーによる操作スイッチ部１の所定の操作の実行によって、携帯用送信機１０の制御部２がＩＤ登録モードに設定されるまでの動作経緯は、既に述べた図３に図示の動作経緯と同じである。
【００５０】
次に、ユーザーによる携帯用送信機１０の操作スイッチ部１の後から操作したスイッチの操作、それに続くそのスイッチの操作終了によって、カウンタ２6 のクロック信号の第１回目のカウント値が確定するまでの動作経緯も、既に述べた図３に図示の動作経緯と同じである。
【００５１】
そして、第１回目のカウント値が確定したとき、そのカウント値は、ＩＤコード発生部２4 を通してＲＡＭ６に供給され、ＲＡＭ６の第１記憶エリアに第１ＩＤコード区分として収納される。この後、カウンタ２6 は、リセットされ、引き続いて供給されるクロック信号の第２回目のカウントを開始し、ＩＤコード発生部２4 から赤色ＬＥＤに第１パルス信号が前と同様に複数回供給され、赤色ＬＥＤが断続的に点灯する。
【００５２】
次いで、ユーザーによる携帯用送信機１０の操作スイッチ部１の後から操作したスイッチの２度目の操作、それに続くそのスイッチの操作終了によって、カウンタ２6 のクロック信号の第２回目のカウント値が確定するまでの動作経緯も、既に述べた図３に図示の動作経緯と同じである。
【００５３】
そして、第２回目のカウント値が確定したとき、そのカウント値は、ＩＤコード発生部２4 を通してＲＡＭ６に供給され、ＲＡＭ６の第２記憶エリアに第２ＩＤコード区分として収納される。この後、カウンタ２6 は、リセットされ、引き続いて供給されるクロック信号の第３回目のカウントを開始し、ＩＤコード発生部２4 から赤色ＬＥＤに第１パルス信号が前と同様に複数回供給され、赤色ＬＥＤが断続的に点灯する。
【００５４】
続いて、ユーザーによる携帯用送信機１０の操作スイッチ部１の後から操作したスイッチの３度目の操作、それに続くそのスイッチの操作終了によって、カウンタ２6 のクロック信号の第３回目のカウント値が確定するまでの動作経緯も、既に述べた図３に図示の動作経緯と同じである。
【００５５】
そして、第３回目のカウント値が確定したとき、そのカウント値は、ＩＤコード発生部２4 を通してＲＡＭ６に供給され、ＲＡＭ６の第３記憶エリアに第３ＩＤコード区分として収納される。
【００５６】
この後、ＩＤコード発生部２4 は、ＲＡＭ６の第１乃至第３記憶エリアに、第１乃至第３ＩＤコード区分がそれぞれ収納されると、ＲＡＭ６から第１乃至第３ＩＤコード区分を読み出して合体し、この合体した第１乃至第３ＩＤコード区分をＩＤコードとしてＥＥＰＲＯＭ４のＩＤコード記憶部４1 に転送供給し、登録する。
【００５７】
この場合、ＲＡＭ６の第１乃至第３記憶エリアに収納される第１乃至第３ＩＤコード区分（３つのカウント値）は、前記第１の実施の形態と同様それぞれ８ビットのもので、第１乃至第３記憶エリアには、００００００００から１１１１１１１１までの２５６通りのデータ値の中の１つが収納される。
【００５８】
なお、前記実施の形態においては、携帯用送信機１０’のＲＡＭ６に第１乃至第３記憶エリアを用意し、第１乃至第３記憶エリアにそれぞれ第１乃至第３ＩＤコード区分を順次収納した後、第１乃至第３ＩＤコード区分を読み出して合体し、ＩＤコードとしてＩＤコード記憶部４1 に登録するようにしたものである。
【００５９】
これに対し、第３の実施の形態として、ＲＡＭ６に第１記憶エリアと第２記憶エリアだけを用意しておき、第１記憶エリア及び第２記憶エリアにそれぞれ第１ＩＤコード区分及び第２ＩＤコード区分を順次収納した後、ＩＤコード発生部２4 が第３回目のカウント値を確定し、第３ＩＤコード区分が得られたとき、この第３ＩＤコード区分をＲＡＭ６に収納せずにＩＤコード発生部２4 内に保持し、ＲＡＭ６から第１ＩＤコード区分及び第２ＩＤコード区分を読み出したとき、読み出した第１ＩＤコード区分と第２ＩＤコード区分に第３ＩＤコード区分を合体させてＩＤコードを形成し、このＩＤコードをＩＤコード記憶部４1 に収納登録するようにしても良い。
【００６０】
この場合、ＩＤコードを形成しているＩＤコード区分の数が４つまたはそれ以上であった場合には、最後のＩＤコード区分を除いた各ＩＤコード区分をＲＡＭ６に順次収納し、その後に最後のＩＤコードが得られたとき、最後のＩＤコードをＲＡＭ６に収納せずにＩＤコード発生部２4 内に保持し、ＲＡＭ６から最後のＩＤコード区分を除いた各ＩＤコード区分を読み出したとき、読み出した各ＩＤコード区分と最後のＩＤコード区分とを合体させてＩＤコードを形成し、このＩＤコードをＩＤコード記憶部４1 に収納登録する。
【００６１】
また、携帯用送信機１０’においても、制御部２がＩＤ登録モードになってから１０秒が経過した場合またはＩＤコード記憶部４1 へのＩＤコードの登録が終了した場合、制御部２がＩＤ登録モードから通常モードに自動的に復帰する。
【００６２】
このように、この第２の実施の形態においても、ＲＡＭ６に収納された第１乃至第３コード区分（カウント値）がユーザーによって行なわれるスイッチの操作タイミングによってランダムに設定され、その設定値を任意に選択できないものである。このため、第１乃至第３コード区分を合体して得たＩＤコードを携帯用送信機１０’に登録したときのＩＤコードと、他の携帯用送信機１０’に同じ登録手段を用いて登録したＩＤコードとが一致する確率は極めて小さく、互換性を有しない携帯用送信機１０’が得られる。
【００６３】
一方、携帯用送信機１０’において、ＩＤコード記憶部４1 にＩＤコードの登録ができないときの動作の一例を図４を用いて説明すると、次の通りである。
【００６４】
図４に示すように、ユーザーによる操作スイッチ部１の所定の操作の実行によって、携帯用送信機１０’の制御部２がＩＤ登録モードに設定されるまでの操作手順は、既に述べた図３に図示の操作手順と同じである。
【００６５】
また、ユーザーによる携帯用送信機１０’の操作スイッチ部１の後から操作したスイッチの操作、それに続くそのスイッチの操作終了によってカウンタ２6 のクロック信号の第１回目のカウント値を確定し、確定したカウント値をＲＡＭ７の第１記憶エリアにＩＤコード区分として収納するまでの操作手順は、既に述べた図３に図示の操作手順と同じである。
【００６６】
この後、ユーザーは、携帯用送信機１０の操作スイッチ部１の後から操作したスイッチを操作しないで、制御部２がＩＤ登録モードに設定されてから１０秒が経過してしまうと、制御部２は、ＩＤ登録モードから通常モードに自動的に復帰する。このときには、第１回目のカウント値が確定されるだけで、第２回目及び第３回目のカウント値が確定されないので、ＩＤコード発生部２4 はＲＡＭ７の第１記憶エリアに収納された第１ＩＤコード区分（第１回目のカウント値）を廃棄し、ＩＤコード記憶部４1 にはＩＤコードの登録が行われない。
【００６７】
また、ＩＤコード記憶部４1 にＩＤコードの登録が行われない状態は、第１回目及び第２回目のカウント値がそれぞれ確定された後、制御部２がＩＤ登録モードから通常モードに自動的に復帰した場合も同じである。
【００６８】
なお、第１及び第３の実施の形態においては、携帯用送信機１０、１０’の第１制御部２をＩＤ登録モードに設定するための操作手順として、操作スイッチ部１のいづれか１つのスイッチを操作している間に他の１つのスイッチを操作するようにしているものであるが、本発明における携帯用送信機１０、１０’の第１制御部２をＩＤ登録モードに設定する際の操作手順は前述のものに限られるものでなく、２個以上のスイッチを予め決められた順番に操作する、例えば、最初にドアロックスイッチ１1 を操作し、その次にトランク開閉スイッチ１3 を操作し、その後でドアアンロックスイッチ１2 を操作するようにしてもよく、特定されたいずれか１個のスイッチを予め決められた時間以上の操作を繰り返し実行する、例えば、ドアアンロックスイッチ１2 を１秒間操作した後、１秒の間隔をおいて再度ドアアンロックスイッチ１2 を１秒間操作するようにしてもよい。
【００６９】
また、第１及び第３の実施の形態においては、ＩＤ登録モードの設定を行う際に使用したドアロックスイッチ１1 を、カウント値の確定のためにも使用しているが、特にこれらのスイッチとして同じスイッチを使用する必要はない。そして、３回のカウント値の確定については、どのスイッチを使用するかは任意であり、どのスイッチを操作したとしても区別を付けることはない。この場合、３回のカウント値の確定の際に、ランダムにスイッチを選択操作してカウント値を確定できるようにすれば、ユーザーに多大な注意深さを求める必要がない。
【００７０】
一方、第１及び第３の実施の形態のように、１つのスイッチだけの使用を義務付ければ、スイッチの意図しない誤操作によってＩＤコードが登録されることを防止することができ、また、３回のカウントの確定毎に特定のスイッチの使用を義務付ければ、より確実なＩＤコードの登録が可能になる。
【００７１】
さらに、第１及び第３の実施の形態においては、スイッチの操作によりカウンタ２6 のカウントを停止させ、カウンタ値の確定が行われる度にカウンタ２6 をリセットしている例を挙げて説明したが、カウンタ２6 のリセットを行わずに、継続してカウントを行うようにしてもよい。
【００７２】
この場合、カウンタ２6 におけるカウントのサイクルタイムは、任意に設定できるが、サイクルタイムを約５００ｍ秒に設定すると、ユーザーの早い操作に対しても十分対応でき、かつ、ランダム性の優れたＩＤコードを登録できる。
【００７３】
また、第１及び第３の実施の形態において、図３に図示している操作（点灯）時間及び操作（点灯）間隔は、いずれも一例を挙げたに過ぎないもので、それらの操作（点灯）時間及び操作（点灯）間隔は任意に変更することができる。
【００７４】
次に、図６は、受信機２０の参照コード記憶部１０1 に携帯用送信機１０または携帯用送信機１０’を用いて参照コードの書込みを行なう際の操作手順の一例を示す説明図である。
【００７５】
図６を用いて、受信機２０の参照コード記憶部１０1 に参照コードの書込みを行う際の操作手順について説明する。この操作においては、携帯用送信機１０と携帯用送信機１０’との間で異なる点がないので、以下、携帯用送信機１０における操作を代表して説明する。
【００７６】
ユーザーは、携帯用送信機１０を携帯し、自動車のイグニッションキー１５をアクセサリ（ＡＣＣ）位置からオン（ＯＮ）位置に切替え、信号処理部１２1 にキー入力パルスを供給する。次に、ユーザーは、信号処理部１２1 にキー入力パルスを供給してから時間Ｔ１以内に、携帯用送信機１０の操作スイッチ部１のいずれかのスイッチを操作し、その操作によって得られたＩＤコードａを送信コードに変換した後、送信信号として携帯用送信機１０から送信する。受信機２０は、この送信信号を受信部１１で受信した後、信号処理部１２1 に供給し、送信コード中のＩＤコードａを抽出する。次いで、ユーザーは、スイッチ操作を終了してから時間Ｔ２以内にイグニッションキー１５をＯＮ位置からＡＣＣ位置に切替え、信号処理部１２1 へのキー入力パルスの供給を停止する。この時点に、最初の状態に戻り、第１動作サイクルが終了する。
【００７７】
続いて、ユーザーは、第１の動作サイクルにおけるキー入力パルスの供給を停止してから時間Ｔ３以内に、再び、第１動作サイクルと同様にイグニッションキー１５と携帯用送信機１０のスイッチを操作し、第１動作サイクルと同じ動作過程を経て第２動作サイクルが終了する。
【００７８】
続いて、第３動作サイクル及び第４動作サイクルにおいても同様の操作が行われる。この場合、第４動作サイクルにおいては、キー入力パルスの供給が開始してから時間Ｔ１以内に、信号処理部９1 で送信コード中のＩＤコードｄを抽出するまでの動作態様は第１乃至第３動作サイクルの動作態様と同じであるが、ＩＤコードｄの供給が停止されてから時間Ｔ４が経過した時点に、信号処理部１２1 を含む制御部１２の動作モードが通常動作モードから参照コード書込みモードに変換され、以後、参照コードの書込みを行なうことが可能になる。
【００７９】
この参照コードの書込みを行なう際の操作手順は、次の通りである。
【００８０】
ユーザーは、制御部１２の動作モードが参照コード書込みモードに変換された後、参照コードの書き込みをする携帯用送信機１０を操作し、ＩＤコードｅを含む送信コードを送信信号として送信し、受信機２０側に伝送する。受信機２０の信号処理部１２1 は、キー入力パルスが供給されているときに送信コードが供給されると、送信コードの供給が停止してから時間Ｔ４以内に送信コードの中のＩＤコードｅを参照コードとして参照コード記憶部１３1 に供給し、参照コード記憶部１３1 に最初の参照コードの書き込みを行なう。このとき、参照コードの書込みが正常に行なわれたことは、例えば、時間Ｔ５の間ドアロック状態またはドアアンロック状態にすることによってユーザーに知らせる。
【００８１】
次に、他の携帯用送信機１０の参照（ＩＤ）コード（第２の参照コード）の書込みを行いたい場合には、ユーザーは、前記の場合と同様にしてこの携帯用送信機１０を操作し、参照コード記憶部１３1 に第２の参照コードの書き込みを行う。
【００８２】
以下、同様に、参照コードの書込みを行いたい他の携帯用送信機１０があれば、前述の参照コードの書込みの操作手順と同じ操作手順によりその参照コードが参照コード記憶部１３1 に書込まれる。
【００８３】
この場合、制御部１２は、参照コード書込みモードに設定された後、設定時間Ｔ６が経過すると、参照コード書込みモードから通常動作モードに自動的に復帰する。
【００８４】
この場合、図６には、前記各時間Ｔ１、Ｔ２、Ｔ３、Ｔ４、Ｔ５、Ｔ６の好適な時間範囲が図示されているが、それらの時間Ｔ１乃至Ｔ６は必ずしも図示の時間範囲に限定されるものではない。
【００８５】
なお、前記説明は、携帯用送信機１０を用いて受信機２０の参照コード記憶部１３1 に参照コードの書き込みを行った場合であるが、携帯用送信機１０’を用いても同じように参照コードの書き込みを行うことができる。
【００８６】
続いて、携帯用送信機１０（または携帯用送信機１０’）のＩＤコード記憶部４1 にＩＤコードが登録され、受信機２０の参照コード記憶部１０1 にＩＤコードに対応した参照コードが登録されている場合、携帯用送信機１０と受信機２０との間で行われる動作（通常動作）について述べる。
【００８７】
ユーザーが操作スイッチ部１のいずれかの操作スイッチ、例えば、自動車のドアをロック（施錠）するロックスイッチ１1 を操作すると、ロックスイッチ１1 からその操作をしたことを表すロックスイッチ情報が出力され、機能コード変換部２1 に供給される。機能コード変換部２1 は、ロックスイッチ情報を受けると、ロックスイッチ情報をそれに対応した機能コードに変換して送信コード形成部２2 に供給する。送信コード形成部２2 は、機能コードが供給されると、その機能コードに、ＩＤコード記憶部４1 から読み出したこの携帯用送信機１０に固有のＩＤコードや、先頭コード及び終了コード等を付加して送信コードを形成し、形成した送信コードを送信部３に供給する。送信部３は、供給された送信コードを電波等の無線信号に載せた送信信号を形成し、この送信信号を送信アンテナ６から送信する。
【００８８】
一方、受信機２０が携帯用送信機１０からの送信信号を受信アンテナ１４で受けると、受信信号として受信部１１に供給され、受信部１１が受信信号中の送信コードを再生し、得られた送信コードを信号処理部１２1 に供給する。信号処理部１２1 は、供給された送信コード中のＩＤコードを抽出し、抽出したＩＤコードと参照コード記憶部１３1 に登録されている参照コードとを比較する。そして、ＩＤコードと参照コードとが一致した場合、送信コード中の機能コードと機能コード記憶部１３2 に収納されている各種の機能コードとを照合する。制御信号発生部１２2 は、照合により合致した機能コードに対応した制御信号、この例においては自動車のドアをロック（施錠）する制御信号を発生し、この制御信号によってドアがロック（施錠）される。
【００８９】
また、操作スイッチ部１の他の操作スイッチ、例えば自動車のドアをアンロック（解錠）するアンロックスイッチ２1 を操作した場合、自動車側においてその操作スイッチに対応した機能操作が行われる。
【００９１】
【発明の効果】
以上のように、請求項１に記載の発明によれば、携帯用送信機において、ユーザーによる操作スイッチの所定の操作によってＩＤ登録モード設定手段が駆動され、それにより第１制御部がＩＤ登録モードに設定されると、第１制御部は、ユーザーが１個以上の操作スイッチを複数回操作する度毎に、その操作に対応してランダムな値を示すＩＤコード区分を形成し、形成したＩＤコード区分を順次ＥＥＰＲＯＭからなる記憶部に収納し、全体のＩＤコード区分が収納された段階でそれらのＩＤコード区分をＩＤコードとして記憶部に登録しているので、携帯用送信機側においてユーザーによるＩＤコードの登録を行なうことが可能になるだけでなく、登録されるＩＤコードをユーザー側で選択することができず、ユーザーの意志に係わりなくランダムな値にすることができるので、自己の携帯用送信機と他人の携帯用送信機との間に互換性のない携帯用送信機が得られるという効果がある。
【００９２】
また、請求項２に記載の発明によれば、携帯用送信機において、ユーザーによる操作スイッチの所定の操作によってＩＤ登録モード設定手段が駆動され、それにより第１制御部がＩＤ登録モードに設定されると、第１制御部は、ユーザーが１個以上の操作スイッチを複数回操作する度毎に、その操作に対応してランダムな値を示すＩＤコード区分を形成し、形成したＩＤコード区分を順次ＲＡＭからなる第２記憶部に収納し、全てのＩＤコード区分が第２記憶部に収納されると、第２記憶部から全てのＩＤコード区分を合体して読み出し、読み出した全てのＩＤコード区分をＩＤコードとしてＥＥＰＲＯＭからなる第１記憶部に転送登録するようにしているので、携帯用送信機側においてユーザーによるＩＤコードの登録を行なうことが可能になるだけでなく、登録されるＩＤコードをユーザー側で選択することができず、ユーザーの意志に係わりなくランダムな値にすることができるので、自己の携帯用送信機と他人の携帯用送信機との間に互換性のない携帯用送信機が得られるという効果がある。
【００９３】
さらに、請求項３に記載の発明によれば、携帯用送信機において、ユーザーによる操作スイッチの所定の操作によってＩＤ登録モード設定手段が駆動され、それにより第１制御部がＩＤ登録モードに設定されると、第１制御部は、ユーザーが１個以上の操作スイッチを複数回操作する度毎に、その操作に対応してランダムな値を示すＩＤコード区分を形成し、形成したＩＤコード区分を順次ＲＡＭからなる第２記憶部に収納し、最後のＩＤコード区分を除く各ＩＤコード区分が第２記憶部に収納され、最後のＩＤコード区分が形成されたとき、第２記憶部から各ＩＤコード区分を読み出し、読み出した各ＩＤコード区分と最後のＩＤコード区分とを合体してＩＤコードとして第１記憶部に転送登録するようにしているので、携帯用送信機側においてユーザーによるＩＤコードの登録を行なうことが可能になるだけでなく、登録されるＩＤコードをユーザー側で選択することができず、ユーザーの意志に係わりなくランダムな値にすることができるので、自己の携帯用送信機と他人の携帯用送信機との間に互換性のない携帯用送信機が得られ、この他に、最後のＩＤコード区分をＲＡＭ６に収納する処理と、最後のＩＤコード区分をＲＡＭ６から読み出す処理が省略され、効率的にＩＤコードをＩＤコード記憶部４1 に登録することができるという効果がある。
【図面の簡単な説明】
【図１】  本発明によるキーレスエントリー装置の第１の実施の形態を示すブロック図であって、携帯用送信機の構成を示すブロック図である。
【図２】  本発明によるキーレスエントリー装置の一つの実施の形態を示すブロック図であって、受信機の構成を示すブロック図である。
【図３】図１に図示された携帯用送信機において、ＩＤコード記憶部にＩＤコードを登録する際の操作手順の一例を示す説明図である。
【図４】携帯用送信機のＩＤコード記憶部にＩＤコードを登録する際に、ＩＤコードの登録ができないときの一例を示す動作説明図である。
【図５】  本発明によるキーレスエントリー装置の第２の実施の形態を示すブロック図であって、携帯用送信機の構成を示すブロック図である。
【図６】受信機の参照コード記憶部に携帯用送信機を用いて参照コードの書込みを行なう際の操作手順の一例を示す説明図である。
【図７】既知のキーレスエントリー装置に用いる携帯用送信機の構成の一例を示すブロック図である。
【図８】既知のキーレスエントリー装置に用いる受信機の構成の一例を示すブロック図である。
【符号の説明】
１  操作スイッチ部（操作ＳＷ）
１1   ドアロックスイッチ
１2   ドアアンロックスイッチ
１3   トランク開スイッチ
１4   パニックスイッチ
２  制御部（第１制御部）（ＣＰＵ）
２1   機能コード変換部
２2   送信コード形成部
２3   モード制御部
２4   ＩＤコード発生部
２5   クロック信号発生部
２6   カウンタ
３  送信部
４  第１記憶部（ＥＥＰＲＯＭ）
４1   ＩＤコード記憶部
５  表示部（ＬＥＤ）
６  送信アンテナ
７  一時（第２）記憶部（ＲＡＭ）
１０、１０’  携帯用送信機
１１  受信部
１２  制御部（第２制御部）（ＣＰＵ）
１２1   信号処理部
１２2   制御信号発生部
１３  記憶部（第３記憶部）（ＥＥＰＲＯＭ）
１３1   コード記憶部
１３2   機能コード記憶部
１４  受信アンテナ
１５  イグニッションキー
２０  受信機
【図１】
0003997039.tif 000002
【図２】
0003997039.tif 000003
【図３】
0003997039.tif 000004
【図４】
0003997039.tif 000005
【図５】
0003997039.tif 000006
【図６】
0003997039.tif 000007
【図７】
0003997039.tif 000008
【図８】
0003997039.tif 000009